(57)【特許請求の範囲】
【請求項１】
互いに離れて並ぶ複数の隔壁によって画面内の放電空間が列毎に区画され、前記隔壁で挟まれた列空間が列方向に沿って周期的に狭まり、それによって各列空間の広大部と狭窄部とが列方向と行方向に交互に配列され、各広大部のそれぞれに面放電ギャップが形成されたプラズマディスプレイパネルであって、
面放電のための電極対を構成する主電極が、前記画面の行方向に延びるバス部と、当該バス部から列方向に張り出た枝部とからなり、
前記面放電ギャップは隣接する主電極のそれぞれの前記枝部によって画定され、そのギャップ方向は列方向と交差する方向であり、かつ前記何れの主電極も前記狭窄部を避けた形状を有することを特徴とするプラズマディスプレイパネル。
【請求項２】
互いに離れて並ぶ複数の隔壁によって画面内の放電空間が列毎に区画され、前記隔壁で挟まれた列空間が列方向に沿って周期的に狭まり、それによって各列空間の広大部と狭窄部とが列方向と行方向に交互に配列され、各広大部のそれぞれに面放電ギャップが形成されたプラズマディスプレイパネルであって、
面放電のための電極対を構成する主電極が、前記画面の行方向に延びるバス部と、当該バス部から列方向に張り出た枝部とからなり、
前記面放電ギャップは隣接する主電極のそれぞれの前記枝部によって画定され、そのギャップ方向は列方向と交差する方向であり、かつ前記主電極の枝部はそれぞれ対応するバス部に連結されて隣接する3列ずつの列空間に対し中央列の狭窄部を挟んで跨がるよう行方向に延びた帯部からなることを特徴とするプラズマディスプレイパネル。
【請求項３】
互いに離れて並ぶ複数の隔壁によって画面内の放電空間が列毎に区画され、前記隔壁で挟まれた列空間が列方向に沿って周期的に狭まり、それによって各列空間の広大部と狭窄部とが列方向と行方向に交互に配列され、各広大部のそれぞれに面放電ギャップが形成されたプラズマディスプレイパネルであって、
前記隔壁のそれぞれは列方向に延びる基部と、該基部から行毎に両側の列空間に交互に張り出した突出部とを持ち、隣接した基部の対向する突出部間に前記狭窄部が構成され、
かつ列空間の広大部において面放電のための電極対を構成する主電極が、前記画面の行方向に延びるバス部と、当該バス部から列方向に張り出た枝部とからなり、かつ少なくとも一方の主電極は前記狭窄部を避けた形状を有することを特徴とするプラズマディスプレイパネル。
【請求項４】
前記面放電ギャップが主電極対のそれぞれから張り出した行方向に対向する枝部間に画定されてなることを特徴とする請求項１乃至３の何れかに記載のプラズマディスプレイパネル。
【請求項５】
前記面放電ギャップが主電極対のそれぞれから張り出した行方向及び列方向に傾斜した方向に対向する枝部間に画定されてなることを特徴とする請求項１乃至３の何れかに記載のプラズマディスプレイパネル。
【発明の詳細な説明】
【０００１】
【発明の属する技術分野】
本発明は、対をなす主電極が画面の行を画定する行電極として同一方向に延びる面放電形式のＰＤＰ（プラズマディスプレイパネル）に関する。
【０００２】
ＰＤＰは、カラー画面の実用化を機にテレビジョン映像やコンピュータのモニタなどの用途で広く用いられるようになってきた。このようなＰＤＰのいっそうの普及に向けて、高精細化に適した構造の開発が進められている。
【０００３】
【従来の技術】
図７は従来のＰＤＰの内部構造を示す斜視図、図８は従来の電極構造を示す平面図である。
【０００４】
図示のＰＤＰ９は特開平９−５０７６８号公報に記載された構造をもつ。前面側のガラス基板１１の上に主電極Ｘｊ，Ｙｊ、誘電体層１７及び保護膜１８が設けられ、背面側のガラス基板２１の上に列電極としてのアドレス電極Ａ、絶縁層２４、放電空間３０を区画する隔壁２９、及びカラー表示のための蛍光体層２８Ｒ，２８Ｇ，２８Ｂが設けられている。主電極Ｘｊ，Ｙｊは、それぞれが透明導電膜４１ｊと金属膜４２ｊとから構成され、列方向に一定の間隔（面放電ギャップ）を隔てて交互に配列されている。面放電ギャップのギャップ方向、すなわち主電極Ｘｊ，Ｙｊの対峙方向は列方向である。
【０００５】
ＰＤＰ９において、放電空間３０を列毎に区画する隔壁２９の平面視形状は、規則的に蛇行する帯状である。図８のように、各隔壁２９は平面視において一定の周期及び振幅で波打っており、隣接する隔壁２９との距離が列方向に沿って周期的に一定値より小さくなるように配置されている。一定値とは放電の抑止が可能な寸法であり、ガス圧などの放電条件によって定まる。各隔壁２９が互いに離れて配置されているので、隣接する隔壁どうしの間の空間（列空間）３１は、画面の全ての行に跨がって連続している。これにより列単位のプライミングによる駆動の容易化、蛍光体層の印刷状態の均一化、及び製造における排気処理の容易化を図ることができる。ＰＤＰ９では、Ｒ（赤）の蛍光体層２８Ｒ、Ｇ（緑）の蛍光体層２８Ｇ、及びＢ（青）の蛍光体層２８Ｂが各列毎に１色ずつＲＧＢの順に配置されている。列内の各行の発光色は同一である。
【０００６】
ここで、列空間３１のうち、行方向の幅の小さい部分（狭窄部）３１Ｂでは面放電が生じにくく、幅の広い部分（広大部）３１Ａが実質的に発光に寄与する。したがって、各行において１列置きに表示素子であるセルが配置されることになる。そして、隣接する２つの行に注目すると、セルの配置される列が１列毎に交互に入れ替わる。つまり、セルは行方向及び列方向の双方において千鳥状に並ぶ。ＰＤＰ９では、隣接するＲＧＢの計３つのセルによって１つの画素が構成され、カラー表示の３色の配列形式は三角（デルタ）配列形式である。三角配列は、行方向においてセルの幅が画素ピッチの１／３より大きく、インライン配列に比べて高精細化に有利である。また、画面のうちの非発光領域の占める割合が小さいので、高輝度の表示を行うことができる。
【０００７】
【発明が解決しようとする課題】
従来の構造では、主電極Ｘｊ，Ｙｊの平面視形状が画面の全長にわたる一定幅の直線帯状であり、列空間３１の狭窄部３１Ｂにおいても広大部３１Ａと同様に主電極Ｘｊ，Ｙｊが近接していた。このため、狭窄部３１Ｂで誤放電の生じるおそれがあり、駆動電圧の設定で誤放電を確実に防止しようとすると動作マージンが小さくなってしまうという問題があった。電極間の静電容量の充電に要する無駄な消費電力が大きいという問題もあった。
【０００８】
また、広大部３１Ａにおいて、放電が面放電ギャップから狭窄部３１Ｂまで拡がるのに対して、拡がった放電で発光した光は金属膜４２ｊで遮光されることから、結果として発光効率が低いという問題もあった。  本発明は、動作マージンを減少させずに行間の放電の干渉をより確実に防止することを目的としている。他の目的は、電極間の静電容量を低減することにある。さらに他の目的は、発光効率を高めることにある。
【０００９】
【課題を解決するための手段】
本発明においては、面放電のギャップ方向が列方向と異なる方向となるように主電極の形状を選定する。
【００１０】
請求項１の発明のＰＤＰは、互いに離れて並ぶ複数の隔壁によって画面内の放電空間が列毎に区画され、前記隔壁で挟まれた列空間が列方向に沿って周期的に狭まり、それによって各列空間の広大部と狭窄部とが列方向と行方向に交互に配列され、各広大部のそれぞれに面放電ギャップが形成されたプラズマディスプレイパネルであって、面放電のための電極対を構成する主電極が、前記画面の行方向に延びるバス部と、当該バス部から列方向に張り出た枝部とからなり、前記面放電ギャップは隣接する主電極のそれぞれの前記枝部によって画定され、そのギャップ方向は列方向と交差する方向であり、かつ前記何れの主電極も前記狭窄部を避けた形状を有するものである。
【００１１】
請求項２の発明のＰＤＰにおいては、面放電のための電極対を構成する主電極が、前記画面の行方向に延びるバス部と、当該バス部から列方向に張り出た枝部とからなり、前記面放電ギャップは隣接する主電極のそれぞれの前記枝部によって画定され、そのギャップ方向は列方向と交差する方向であり、かつ前記主電極の枝部はそれぞれ対応するバス部に連結されて隣接する３列ずつの列空間に対し中央列の狭窄部を挟んで跨がるよう行方向に延びた帯部からなる。
【００１２】
請求項３の発明のＰＤＰにおいては、前記隔壁のそれぞれは列方向に延びる基部と、該基部から行毎に両側の列空間に交互に張り出した突出部とを持ち、隣接した基部の対向する突出部間に前記狭窄部が構成され、かつ列空間の広大部において面放電のための電極対を構成する主電極が、前記画面の行方向に延びるバス部と、当該バス部から列方向に張り出た枝部とからなり、かつ少なくとも一方の主電極は前記狭窄部を避けた形状を有する。
【００１３】
請求項４の発明のＰＤＰにおいては、記面放電ギャップが電極対のそれぞれから張り出した行方向に対向する枝部間に画定されてなる。
【００１４】
請求項５の発明のＰＤＰにおいては、前記面放電ギャップが主電極対のそれぞれから張り出した行方向及び列方向に傾斜した方向に対向する枝部間に画定されてなる。
【００１５】
【発明の実施の形態】
図１は第１実施形態のＰＤＰの構造を示す図である。
【００１６】
図示のＰＤＰ１は面放電構造のＡＣ型カラーＰＤＰであり、一対の基板構体１０，２０からなる。ＰＤＰ１の構造は、主電極の構成を除いて、図６に示した従来のＰＤＰ９と同様である。
【００１７】
画面ＥＳを構成する各セルにおいて、本発明に特有の形状にパタニングされた一対の主電極Ｘ，Ｙと第３の電極であるアドレス電極Ａとが交差する。主電極Ｘ，Ｙは、前面側の基板構体１０の基材であるガラス基板１１の内面に配列されており、それぞれが透明導電膜４１と導電性を確保するための金属膜（バス電極）４２とからなる。金属膜４２は例えばクロム−銅−クロムの３層構造からなり、透明導電膜４１の端部と重なるように積層されている。主電極Ｘ，Ｙを被覆するように厚さ３０〜５０μｍ程度の誘電体層１７が設けられ、誘電体層１７の表面には保護膜１８としてマグネシア（ＭｇＯ）が被着されている。
【００１８】
アドレス電極Ａは、背面側の基板構体２０の基材であるガラス基板２１の内面に配列されており、誘電体層２４によって被覆されている。誘電体層２４の上には、平面視において規則的に屈曲した帯状の隔壁２９が各アドレス電極Ａの間に１つずつ設けられている。これらの隔壁２９によって放電空間３０が行方向（画面の水平方向）に列毎に区画され、且つ放電空間３０の間隙寸法が１５０μｍ程度に規定されている。アドレス電極Ａの上方及び隔壁２９の側面を含めて背面側の内面を被覆するように、Ｒ，Ｇ，Ｂの３色の蛍光体層２８Ｒ，２８Ｇ，２８Ｂが設けられている。放電空間３０には主成分のネオンにキセノンを混合した放電ガスが充填されている。
【００１９】
隔壁パターンが互いに離れて並ぶ複数の隔壁２９からなるストライプパターンであることから、放電空間３０のうちの各列に対応した部分（列空間）は全ての行に跨がって列方向に連続している。
【００２０】
表示に際しては、主電極Ｙとアドレス電極Ａとの間でアドレス放電を生じさせる線順次のアドレッシングを行って、点灯させるべきセルのみに適量の壁電荷が存在する状態を得る。その後、主電極Ｘと主電極Ｙとに交互に点灯維持パルスを印加する。印加毎に適量の壁電荷が存在するセルのみで基板面（保護膜１８）に沿った主電極間の面放電が生じる。放電エネルギーを得てキセノンが紫外線を放ち、この紫外線によって蛍光体層２８Ｒ，２８Ｇ，２８Ｂが局部的に励起されて発光する。表示の１画素は三角配列された３個のセルで構成され、Ｒ，Ｇ，Ｂの組合せで色再現が行われる。
【００２１】
図２は第１実施形態の主電極の形状を示す平面図である。
【００２２】
主電極Ｘ，Ｙは、上述のように透明導電膜４１と金属膜４２とで構成され、形状の上では行方向に延びる１本の直線帯状のバス部と複数の短冊状の枝部とからなる。例示では金属膜４２がバス部に相当し、透明導電膜４１のうちの金属膜４２と重なっていない部分が枝部に相当する。積層の変形例としては、バス部と枝部とを合わせた電極形状そのものに透明導電膜をパターニングし、バス部のみと重なるように金属膜を形成するものがある。
【００２３】
金属膜（バス部）４２は、遮光を最小限とするため列空間３１における広大部３１Ａの列方向の端部に寄った位置を通るように配置されている。透明導電膜（枝部）４１は、各列において金属膜（バス部）４２から広大部３１Ａの中央側に張り出すように配置されている。各広大部３１Ａにおいて、主電極Ｘの透明導電膜４１と当該主電極Ｘに隣接した主電極Ｙの透明導電膜４１とが近接し、面放電ギャップｇ１を形成する。これら近接する透明導電膜４１の位置は行方向にずれており、面放電ギャップｇ１のギャップ方向Ｍｇは行方向である。なお、透明導電膜４１の寸法は、適切な面放電ギャップｇ１が得られ、且つ先端と他の主電極の金属膜４２との距離がギャップ長より大きくなるように選定される。このことは以下の他の実施形態でも同様である。
【００２４】
ギャップ方向Ｍｇが行方向であると、面放電が列方向に拡がりにくいので、面放電が広大部３１Ａの中央近辺に集中して狭窄部３１Ｂまで拡がらない。また、本例の電極形状では、狭窄部３１Ｂに主電極Ｘ，Ｙが存在せず、主電極間の静電容量が小さい。加えて、従来例と比べて各セルにおける電極面積が小さく放電電流が減少するので、駆動回路に対する電流容量の要求が緩和される。放電電流の減少による輝度の低下は、点灯維持における印加電圧の周波数を高くすることにより補えばよい。
【００２５】
図３は第２実施形態の主電極の形状を示す平面図である。
【００２６】
第２実施形態のＰＤＰ２の基本構成は第１実施形態のＰＤＰ１と同様である。ＰＤＰ２においても主電極Ｘｂ，Ｙｂは、画面の行方向の全長にわたって延びるバス部となる金属膜４２ｂと、短冊状の枝部となる複数の透明導電膜４１ｂとからなる。各広大部３１Ａにおいて、主電極Ｘｂの透明導電膜４１ｂと当該主電極Ｘｂに隣接した主電極Ｙｂの透明導電膜４１ｂとが近接し、面放電ギャップｇ２を形成する。これら近接する透明導電膜４１ｂの位置は行方向にずれており、面放電ギャップｇ２のギャップ方向Ｍｇは行方向である。
【００２７】
ＰＤＰ２の特徴は、金属膜４２ｂが隔壁２９に沿って広大部３１Ｂを避けるように蛇行する屈曲形状にパターニングされている点である。金属膜４２ｂの蛇行により各セルの開口率が増大し、輝度が高まる。
【００２８】
図４は第３実施形態の主電極の形状を示す平面図である。
【００２９】
第３実施形態のＰＤＰ３の主電極を除く構成は第１実施形態のＰＤＰ１と同様である。ＰＤＰ３においても主電極Ｘｃ，Ｙｃは、画面の行方向の全長にわたって延びるバス部となる金属膜４２ｃと、枝部となる複数の透明導電膜４１ｃとからなる。透明導電膜４１ｃは、隣接する３列に跨がって行方向に延びる幅の広い帯部４１１と、この帯部４１１の行方向の中央と金属膜４２ｃとを連結する幅の狭い帯部４１２とからなる変形Ｔ字状にパターニングされている。各広大部３１Ａにおいて、主電極Ｘｃの帯部４１１と当該主電極Ｘｃに隣接した主電極Ｙｃの帯部４１１とが近接し、面放電ギャップｇ３を形成する。これら近接する帯部４１１は行方向に並び、面放電ギャップｇ３のギャップ方向は行方向である。
【００３０】
図５は第４実施形態の主電極の形状を示す平面図である。
【００３１】
第４実施形態のＰＤＰ４の基本構成は第１実施形態のＰＤＰ１と同様である。ＰＤＰ４においても主電極Ｘｄ，Ｙｄは、画面の行方向の全長にわたって延びるバス部となる金属膜４２ｄと、短冊状の枝部となる複数の透明導電膜４１ｄとからなる。透明導電膜４１ｄは、隣接する２行に跨がって行方向に対して斜めに延びる。各広大部３１Ａにおいて、主電極Ｘｄの透明導電膜４１ｄと当該主電極Ｘｄに隣接した主電極Ｙｄの透明導電膜４１ｄとが近接し、面放電ギャップｇ４を形成する。これら近接する透明導電膜４１ｄの位置は行方向及び列方向の双方にずれており、面放電ギャップｇ４のギャップ方向Ｍｇは行方向及び列方向の双方に対して傾斜した方向である。ギャップ方向Ｍｇが列方向ではなく面放電が列方向に拡がりにくいので、面放電が広大部３１Ａの中央近辺に集中して狭窄部３１Ａまで拡がらない。加えて、ギャップ方向Ｍｇが行方向又は列方向である場合と比べて、近接する透明導電膜どうしの対向線分を長くすることができ、放電確率を高めて表示の安定を図ることができる。
【００３２】
以上の実施形態では、放電空間３０が区画される構造を例示したが、隔壁形状の種々の変形が可能である。例えば図６のように、平面視において列方向に延びる基部２９１と基部２９１から行方向に張り出た突起部２９２とからなる隔壁２９ｂを設けてもよい。この場合にも、広大部３１Ａと狭窄部３１Ｂとが交互に並ぶ列空間３１を形成することができる。
【００３３】
以上の実施形態では、主電極Ｘ，Ｘｂ〜ｄ，Ｙ，Ｙｂ〜ｄを放電空間３０の前面側に配置したいわゆる反射型を例示したが、主電極Ｘ，Ｘｂ〜ｄ，Ｙ，Ｙｂ〜ｄを背面側に配置する透過型のＰＤＰにも本発明を適用することができる。透過型では主電極Ｘ，Ｘｂ〜ｄ，Ｙ，Ｙｂ〜ｄの全体（バス部及び枝部）を金属膜のパターニングで形成してもよい。
【００３４】
【発明の効果】
請求項１乃至請求項５の発明によれば、動作マージンを減少させずに行間の放電の干渉をより確実に防止することができる。また、主電極間の静電容量を低減することができる。
【００３５】
請求項５の発明によれば、主電極による遮光を無くし、発光効率を高めることができる。
【図面の簡単な説明】
【図１】第１実施形態のＰＤＰの構造を示す図である。
【図２】第１実施形態の主電極の形状を示す平面図である。
【図３】第２実施形態の主電極の形状を示す平面図である。
【図４】第３実施形態の主電極の形状を示す平面図である。
【図５】第４実施形態の主電極の形状を示す平面図である。
【図６】隔壁形状の変形例を示す平面図である。
【図７】従来のＰＤＰの内部構造を示す斜視図である。
【図８】従来の電極構造を示す平面図である。
【符号の説明】
１，２，３，４  ＰＤＰ（プラズマディスプレイパネル）
２９，２９ｂ  隔壁
ＥＳ  画面
３０  放電空間
３１  列空間
３１Ａ  広大部
Ｘ，Ｘｂ〜ｄ  主電極
Ｙ，Ｙｂ〜ｄ  主電極
４２，４２ｂ〜ｄ  金属膜（バス部）
４１，４１ｂ〜ｄ  透明導電膜（枝部）
ｇ１〜４  面放電ギャップ
Ｍｇ  ギャップ方向
【図１】
0003678332.tif 000002
【図２】
0003678332.tif 000003
【図３】
0003678332.tif 000004
【図４】
0003678332.tif 000005
【図５】
0003678332.tif 000006
【図６】
0003678332.tif 000007
【図７】
0003678332.tif 000008
【図８】
0003678332.tif 000009